(57)【要約】【課題】光ディスクの出し入れ作業を簡単にし、出し入れ時の光ディスクの汚損を防止し、装置への塵埃の侵入を防止できる光ディスクカートリッジの提供。【解決手段】スロットインドライブ方式の光ディスク装置（図示せず）で光ディスク４を出し入れする為の光ディスクカートリッジ１。断面形状が光ディスクを緩挿できる幅及び長さの細長長方形である角筒形状をなし、一方の他端部が他方の他端部を遊嵌し、光ディスク４の過半部をそれぞれ収納する２つの収納部２，３ａ，３ｂと、各収納部を各他端が接近するように付勢する付勢手段５とを備え、収納部の一方は、２つの部分３ａ，３ｂに分離可能であり、各他端が離隔した状態で、２つの部分３ａ，３ｂが分離し方向Ｂの前後に互いに変位し、各他端が離隔して行く状態で装置へ光ディスク４を装填し、各他端が接近して行く状態で装置から排出された光ディスク４を収納する構成である。【選択図】図１
2010044805.tif 000002
【特許請求の範囲】
【請求項１】
スロットインドライブ方式の光ディスク装置から排出された光ディスクを収納し、スロットインドライブ方式の光ディスク装置へ光ディスクを装填する為の光ディスクカートリッジであって、
一端に底を有し、断面形状が光ディスクを緩挿することが可能な幅及び長さを有する細長長方形である角筒形状をなし、一方の他端部が他方の他端部を遊嵌し、光ディスクの過半部をそれぞれ収納する２つの収納部と、該２つの収納部を各他端が接近するように付勢する付勢手段と、前記２つの収納部の各他端が所定距離より接近しないように阻止する阻止手段とを備え、前記収納部の一方は、収納する光ディスクの各面にそれぞれ対向する２つの部分に分離可能であり、前記各他端が前記所定距離を超えて離隔している状態で、前記２つの部分が分離し前記所定距離が示す方向の前後に互いに変位するように構成してあり、前記各他端が前記所定距離を超えて離隔して行く状態で光ディスク装置へ光ディスクを装填し、前記各他端が前記所定距離に接近して行く状態で光ディスク装置から排出された光ディスクを収納するように構成してあることを特徴とする光ディスクカートリッジ。
【請求項２】
前記収納部の一方は、前記細長長方形の短辺を含む２つの壁及び前記底で２つの部分に分離可能であり、該２つの部分の一方の前記各壁に設けられ、該各壁の長手方向に対して勾配を有する複数の溝と、該溝のそれぞれに嵌入するように他方に付設された複数の突起とを有し、前記各他端が前記所定距離を超えて離隔するときに、前記溝内を突起がそれぞれ摺動することにより、前記２つの部分が分離し前記各他端が離隔した方向へ互いに変位するように構成してある請求項１記載の光ディスクカートリッジ。
【請求項３】
光ディスク装置へ光ディスクを装填するときに、前記２つの収納部の各他端が前記所定距離を超えて離隔して行く動作に応じて、前記２つの部分を分離させた隙間を通じて前記光ディスクを前記２つの収納部から押出す手段を更に備える請求項１又は２記載の光ディスクカートリッジ。
【請求項４】
光ディスク装置の光ディスクの出し入れ口と前記隙間とを位置合わせする位置合わせ手段を更に備える請求項３記載の光ディスクカートリッジ。
【請求項５】
前記位置合わせ手段は、前記収納部の一方の外底に適長離隔して設けられた２つの突起である請求項４記載の光ディスクカートリッジ。
【請求項６】
前記収納部の一方の２つの部分を非分離の状態でロックするロック機構を更に備え、該ロック機構は、前記突起が押圧されることにより解除されるように構成してある請求項５記載の光ディスクカートリッジ。
【発明の詳細な説明】
【技術分野】
【０００１】
本発明は、スロットインドライブ方式の光ディスク装置から排出されたＢＤ、ＤＶＤ又はＣＤ等の光ディスクを収納し、スロットインドライブ方式の光ディスク装置へ光ディスクを装填する為の光ディスクカートリッジに関するものである。
【背景技術】
【０００２】
光ディスクは、その表面付近に記録された極微小なマークを、照射したレーザの反射光により読取り、また、表面付近に照射したレーザにより極微小なマークを記録するので、表面に塵埃及び傷が付着していると、読取り不良及び記録不良が生じる虞が有る。その為、光ディスクを剥き出し状態では扱わず、カートリッジに収容した状態で扱うようにしたものも有る。
また、光ディスク装置では、トレイに光ディスクを載置して装填するタイプが多いが、最近、トレイを使用せずに直接光ディスクを押込むスロットインドライブ方式もよく採用されるようになっている。
【０００３】
特許文献１には、１枚の光ディスクを収容しかつ一体で光ディスク装置に装填される光ディスクカートリッジが開示されている。この光ディスクカートリッジは、カートリッジケースに固定されるアーム支持ピンにより、光ディスクの外周部に回動自在に取付けられ、かつ光ディスクカートリッジの装填及び取出しにより駆動され、かつ光ディスクをその外周部から支持する複数個のディスク支持アームと、ディスク支持アームを光ディスクの径方向に加圧させるばねとを有している。
【０００４】
特許文献２には、光ディスクを載置する載置部を有する第１ハーフシェルと、第１ハーフシェルに回動自在に取付けられ光ディスクをカバーする第２ハーフシェルと、第１及び第２ハーフシェルにそれぞれ対向するよう形成された窓部と、窓部の近傍に設けられた穴部とを有するディスクカートリッジを備える光ディスク収納ケースが開示されている。この光ディスク収納ケースは、また、ディスクカートリッジが挿入される開口と、ディスクカートリッジが収納された際に、穴部に係合する突起部とを有する保護ケースを備えている。
【特許文献１】特開平０２−１３４７８１号公報
【特許文献２】特開２００４−１４９１６５号公報
【発明の開示】
【発明が解決しようとする課題】
【０００５】
記録用に光ディスクを利用したビデオカメラ等の、屋外で使用されることが多い光ディスク装置では、光ディスクの出し入れは、周囲の環境によっては、光ディスクが汚損し易く、著しく困難であり、手が二本では足りないような思いをさせられることがあるという問題がある。
本発明は、上述したような事情に鑑みてなされたものであり、光ディスクの出し入れ作業を簡単にし、出し入れ時の光ディスクの汚損を防止し、光ディスク出し入れ時に大きく開口する光ディスク装置への塵埃の侵入を防止することが可能であり、光ディスクの携帯し易さを向上させ、しかも光ディスク自体のコストの優位性を損なわない光ディスクカートリッジを提供することを目的とする。
【課題を解決するための手段】
【０００６】
本発明に係る光ディスクカートリッジは、スロットインドライブ方式の光ディスク装置から排出された光ディスクを収納し、スロットインドライブ方式の光ディスク装置へ光ディスクを装填する為の光ディスクカートリッジであって、一端に底を有し、断面形状が光ディスクを緩挿することが可能な幅及び長さを有する細長長方形である角筒形状をなし、一方の他端部が他方の他端部を遊嵌し、光ディスクの過半部をそれぞれ収納する２つの収納部と、該２つの収納部を各他端が接近するように付勢する付勢手段と、前記２つの収納部の各他端が所定距離より接近しないように阻止する阻止手段とを備え、前記収納部の一方は、収納する光ディスクの各面にそれぞれ対向する２つの部分に分離可能であり、前記各他端が前記所定距離を超えて離隔している状態で、前記２つの部分が分離し前記所定距離が示す方向の前後に互いに変位するように構成してあり、前記各他端が前記所定距離を超えて離隔して行く状態で光ディスク装置へ光ディスクを装填し、前記各他端が前記所定距離に接近して行く状態で光ディスク装置から排出された光ディスクを収納するように構成してあることを特徴とする。
【０００７】
この光ディスクカートリッジは、スロットインドライブ方式の光ディスク装置から排出された光ディスクを収納し、スロットインドライブ方式の光ディスク装置へ光ディスクを装填する為のものである。光ディスクの過半部をそれぞれ収納する２つの収納部が、一端に底を有し、断面形状が光ディスクを緩挿することが可能な幅及び長さを有する細長長方形である角筒形状をなしている。２つの収納部は、一方の他端部が他方の他端部を遊嵌する。付勢手段が、２つの収納部を各他端が接近するように付勢し、付勢手段が、２つの収納部の各他端が所定距離より接近しないように阻止する。収納部の一方は、収納する光ディスクの各面にそれぞれ対向する２つの部分に分離可能であり、２つの収納部の各他端が所定距離を超えて離隔している状態で、２つの部分が分離し所定距離が示す方向の前後に互いに変位する。２つの収納部の各他端が所定距離を超えて離隔して行く状態で光ディスク装置へ光ディスクを装填し、各他端が所定距離に接近して行く状態で光ディスク装置から排出された光ディスクを収納する。
【０００８】
本発明に係る光ディスクカートリッジは、前記収納部の一方は、前記細長長方形の短辺を含む２つの壁及び前記底で２つの部分に分離可能であり、該２つの部分の一方の前記各壁に設けられ、該各壁の長手方向に対して勾配を有する複数の溝と、該溝のそれぞれに嵌入するように他方に付設された複数の突起とを有し、前記各他端が前記所定距離を超えて離隔するときに、前記溝内を突起がそれぞれ摺動することにより、前記２つの部分が分離し前記各他端が離隔した方向へ互いに変位するように構成してあることを特徴とする。
【０００９】
この光ディスクカートリッジでは、収納部の一方は、細長長方形の短辺を含む２つの壁及び底で２つの部分に分離可能であり、各壁の長手方向に対して勾配を有する複数の溝が、２つの部分の一方の各壁に設けられ、複数の突起が、溝のそれぞれに嵌入するように他方に付設されている。２つの収納部の各他端が所定距離を超えて離隔するときに、溝内を突起がそれぞれ摺動することにより、２つの部分が分離し２つの収納部の各他端が離隔した方向へ互いに変位する。
【００１０】
本発明に係る光ディスクカートリッジは、光ディスク装置へ光ディスクを装填するときに、前記２つの収納部の各他端が前記所定距離を超えて離隔して行く動作に応じて、前記２つの部分を分離させた隙間を通じて前記光ディスクを前記２つの収納部から押出す手段を更に備えることを特徴とする。
【００１１】
この光ディスクカートリッジでは、光ディスク装置へ光ディスクを装填するときに、２つの収納部の各他端が所定距離を超えて離隔して行く動作に応じて、押出す手段が、２つの部分を分離させた隙間を通じて光ディスクを２つの収納部から押出す。
【００１２】
本発明に係る光ディスクカートリッジは、光ディスク装置の光ディスクの出し入れ口と前記隙間とを位置合わせする位置合わせ手段を更に備えることを特徴とする。
【００１３】
本発明に係る光ディスクカートリッジは、前記位置合わせ手段は、前記収納部の一方の外底に適長離隔して設けられた２つの突起であることを特徴とする。
【００１４】
本発明に係る光ディスクカートリッジは、前記収納部の一方の２つの部分を非分離の状態でロックするロック機構を更に備え、該ロック機構は、前記突起が押圧されることにより解除されるように構成してあることを特徴とする。
【００１５】
この光ディスクカートリッジでは、ロック機構が、収納部の一方の２つの部分を非分離の状態でロックする。ロック機構は、収納部の一方の外底に適長離隔して設けられた２つの突起が押圧されることにより解除される。
【発明の効果】
【００１６】
本発明に係る光ディスクカートリッジによれば、光ディスクの出し入れ作業を簡単にし、出し入れ時の光ディスクの汚損を防止し、光ディスク出し入れ時に大きく開口する光ディスク装置への塵埃の侵入を防止することが可能であり、光ディスクの携帯し易さを向上させ、しかも光ディスク自体のコストの優位性を損なわない光ディスクカートリッジを実現することができる。
また、光ディスクが保護され、ディスクの汚損を気にすることなく扱うことができ、ユーザが持つ光ディスクカートリッジからディスクの出し入れを行うので、光ディスクの交換を直接光ディスクに触れることなくできる。また、光ディスク装置側のスロットイン性能を損ねることが無く、また、本光ディスクカートリッジを使用しない光ディスクの出し入れにも影響を与えることがない。
【発明を実施するための最良の形態】
【００１７】
以下に、本発明をその実施の形態を示す図面に基づき説明する。
図１は、本発明に係る光ディスクカートリッジの実施の形態の構成を模式的に示す説明図であり、光ディスク４を収納している状態で、（ａ）は上面からの外形を、（ｂ）は側面からの外形をそれぞれ透視図的に示している。
この光ディスクカートリッジ１は、外形は、従来と略同様であるが、光ディスク４の過半部をそれぞれ収納するカートリッジ本体（収納部）２と上カバー（収納部）３ａ及び下カバー（収納部）３ｂとの２つの部分から構成されている。
カートリッジ本体２は、一端に底を有し、断面形状が光ディスク４を緩挿することが可能な幅及び長さを有する細長長方形である角筒形状をなしている。
【００１８】
上カバー３ａ及び下カバー３ｂは、分離可能であり、接合状態では、一端に底を有し、断面形状が光ディスク４を緩挿することが可能な幅及び長さを有する細長長方形である角筒形状をなしている。
上カバー３ａ及び下カバー３ｂの開口部（他端部）は、カートリッジ本体２をその開口部（他端部）から遊嵌し、上カバー３ａ及び下カバー３ｂとカートリッジ本体２との重なり合う部分には、上カバー３ａ及びカートリッジ本体２の各開口部に接続し、各開口部が接近するように付勢する引張バネ（付勢手段）５が設けられている。
【００１９】
上カバー３ａの側面の内側及びカートリッジ本体２の側面の外側には、各開口部が引張バネ５により所定距離より接近するのを阻止する為の突起（阻止手段）６ａ，６ｂがそれぞれ設けられている。突起６ａ，６ｂは、互いに当接することにより、上カバー３ａ及び下カバー３ｂとカートリッジ本体２との嵌め合いが外れるのを防止する。
カートリッジ本体２内には、光ディスク４を保持する為のＬ字形の２つの保持レバー（押出す手段）７，７が、それぞれの屈曲部付近で回動軸８，８に回動自在に取付けられている。カートリッジ本体２の開口部付近の保持レバー７の端部に設けられた回動軸１１には、支持棒１１ａの一端が回動自在に取付けられ、支持棒１１ａの他端に設けられた回動軸１２には、光ディスク４を保持する保持部１３が回動自在に取付けられている。
【００２０】
カートリッジ本体２の底（一端）付近の保持レバー７の端部には、圧縮バネ９を介して、光ディスク４を保持する保持部１０が、光ディスク４の周方向に回動自在に取付けられている。保持部１０，１３には、光ディスク４に当接する部分に、断面がＶ字形の溝が設けられており、光ディスク４を常に同じ面内で保持するようになっている。
保持レバー７、支持棒１１ａ及び保持部１３、並びに保持レバー７及び保持部１０は、それぞれ複動機構をなしている。
【００２１】
上カバー３ａの底付近の側面には、側面の長手方向に対して勾配を有する短い溝１６ａ，１６ａが設けられ、上カバー３ａの開口部付近の側面には、側面の長手方向に対して勾配を有する短い溝１８ａ，１８ａが設けられている。下カバー３ｂの内側には、短い溝１６ａ，１８ａにそれぞれ対向する位置に、短い溝１６ａ，１８ａにそれぞれ嵌入するように、突起１６ｂ，１８ｂが付設されている。突起１６ｂ，１８ｂは、下カバー３ｂの内側に設けられた基部１６ｃ，１８ｃからそれぞれ突設されている。
【００２２】
上カバー３ａの側面には、また、短い溝１６ａ，１８ａ間に、側面の長手方向に対して平行な長い部分と、短い溝１８ａに隣接して平行な短い部分とを有する長い溝１７ａ，１７ａが設けられている。カートリッジ本体２の開口部付近の側面外側には、長い溝１７ａに対向する位置に、長い溝１７ａに嵌入するように、突起１７ｂが付設されている。
【００２３】
上カバー３ａの外底部には、図３に示すように、光ディスク装置１９の光ディスクの出し入れ口２０と上カバー３ａの底とを位置合わせする為の２つの突起１５ａ，１５ａが、適長離隔して設けられている。光ディスク装置１９側には、位置合わせが完了した状態で、突起１５ａ，１５ａが嵌合する為の穴１５ｂ，１５ｂが設けられている。
突起１５ａは、上カバー３ａ及び下カバー３ｂが接合された状態で、上カバー３ａと下カバー３ｂに設けられた基部１６ｃとの位置関係をロックする図示しないロック機構に掛止されており、穴１５ｂに嵌合して押圧されたときに、ロック機構が外れるようになっている。ロック機構は、例えば、上カバー３ａ及び下カバー３ｂが接合されると、自動的に上カバー３ａと基部１６ｃとの間に留金が掛かり、２つの突起１５ａが押圧されたときに、留金が外れるような機構が考えられる。
【００２４】
カートリッジ本体２の開口部付近から保持レバー７にかけて金属製の鞘管１４ｂ，１４ｂが設けられており、鞘管１４ｂ，１４ｂは、保持レバー７，７のカートリッジ本体２の側面に対向する側の屈曲部付近に設けられた回動軸１４ｃ，１４ｃに、保持レバー７，７と同じ面内で回動自在に取付けられている。尚、保持レバー７の鞘管１４ｂが接する面には、鞘管１４ｂが遊嵌する為の図示しない溝が設けられており、鞘管１４ｂが保持レバー７の回動を妨げないようになっている。
【００２５】
一方、上カバー３ａの側面内側には、剛性の強いワイヤ１４，１４が取り付けられており、ワイヤ１４，１４は、上カバー３ａの側面内側の底近くに設けられた回動軸１４ａ，１４ａに、保持レバー７，７と同じ面内で回動自在に取付けられている。ワイヤ１４の先端部は、カートリッジ本体２の開口部付近から鞘管１４ｂに緩挿されている。
【００２６】
このような構成の光ディスクカートリッジ１から光ディスク装置１９へ光ディスクを装填する際は、ユーザは、先ず、図３に示すように、光ディスク装置１９の光ディスクの出し入れ口２０と上カバー３ａの底とを位置合わせする。位置合わせが完了すると、突起１５ａ，１５ａが光ディスク装置１９の穴１５ｂ，１５ｂに嵌合する。ユーザが、この状態で光ディスクカートリッジ１を光ディスク装置１９へ押付けると、突起１５ａ，１５ａが押圧され、上カバー３ａと下カバー３ｂに設けられた基部１６ｃとの位置関係をロックするロック機構が外れる。
【００２７】
ロック機構が外れると、ユーザが光ディスクカートリッジ１を押付ける力により、図１（ｂ）に示すように、上カバー３ａの側面に設けられた短い溝１６ａ，１８ａ内を、下カバー３ｂに設けられた突起１６ｂ，１８ｂが摺動する。また、上カバー３ａの側面に設けられた長い溝１７ａの勾配を有する部分内を、カートリッジ本体２に設けられた突起１７ｂが摺動する。
その結果、上カバー３ａが、矢印Ａの方向へ移動することにより、下カバー３ｂと分離し、上カバー３ａの底と下カバー３ｂとの間に生じた隙間から、光ディスク４を出し入れすることが可能となる。
【００２８】
この状態で、ユーザが、光ディスクカートリッジ１を光ディスク装置１９へ更に押付けると、上カバー３ａの側面に設けられた長い溝１７ａ内を、カートリッジ本体２に設けられた突起１７ｂが摺動して行く。その結果、上カバー３ａ及び下カバー３ｂが、分離した状態で、案内されて矢印Ｂ，Ｄの方向へ移動して行くことにより、カートリッジ本体２に重なって行き、図２（ｂ）、（ｃ）に示すように、光ディスク４が上カバー３ａ及び下カバー３ｂから露出して行く。尚、ここでは図示していないが、光ディスク４の露出した部分は、出し入れ口２０から光ディスク装置１９内へ挿入されている。
上カバー３ａ及び下カバー３ｂが、カートリッジ本体２に重なって行く際、ワイヤ１４，１４は鞘管１４ｂ，１４ｂ内に緩挿されて行く。
【００２９】
図２（ａ）に示すように、上カバー３ａ及び下カバー３ｂの大部分がカートリッジ本体２に重なり、光ディスク４の約半分が露出して光ディスク装置１９内に挿入されると、ワイヤ１４の先端は、鞘管１４ｂの回動軸１４ｃ部分に到達する。ワイヤ１４の先端が、更に回動軸１４ｃ部分を押すことにより、保持レバー７が回動軸８を中心に回動し、保持部１０，１３がそれぞれ矢印Ｆ、Ｅの方向へ移動する。
保持部１３の矢印Ｅの方向への移動により、光ディスク４は保持部１３，１３から解放され、保持部１０の矢印Ｆの方向への移動、及び圧縮バネ９の付勢力により、光ディスク４は一押しされて、光ディスク装置１９内に装填される。
【００３０】
光ディスク４が光ディスク装置１９内に装填されたとき、引張バネ５は伸び切っており、ユーザが光ディスクカートリッジ１を光ディスク装置１９へ押付ける力を緩めると、引張バネ５の引張力により、上カバー３ａ及び下カバー３ｂとカートリッジ本体２との重なりが解消されて行く。その結果、上カバー３ａ及び下カバー３ｂとカートリッジ本体２との重なり状態は、上カバー３ａの突起６ａとカートリッジ本体２の突起６ｂとが当接するところまで戻ることになる。この状態で、ユーザが、上カバー３ａ及び下カバー３ｂを押さえると、上カバー３ａ及び下カバー３ｂが接合され、上カバー３ａと下カバー３ｂに設けられた基部１６ｃとのロック機構がロックされる。
【００３１】
この光ディスクカートリッジ１に光ディスク装置１９からの光ディスクを収納する際は、位置合わせから、図２（ａ）に示すように、上カバー３ａ及び下カバー３ｂの大部分がカートリッジ本体２に重なる状態になる迄の各部の動作は、上述した通りである。
図２（ａ）に示すように、上カバー３ａ及び下カバー３ｂの大部分がカートリッジ本体２に重なった状態で、ユーザが、光ディスク装置１９のイジェクト釦を操作すると、光ディスク装置１９内からの吐出力により、光ディスク４がカートリッジ本体２に挿入される。
【００３２】
この状態で、ユーザが光ディスクカートリッジ１を光ディスク装置１９へ押付ける力を緩めると、引張バネ５の引張力により、上カバー３ａ及び下カバー３ｂとカートリッジ本体２との重なりが解消されて行く。その結果、上カバー３ａ及び下カバー３ｂとカートリッジ本体２との重なり状態は、上カバー３ａの突起６ａとカートリッジ本体２の突起６ｂとが当接するところまで戻ることになる。
一方、ワイヤ１４の先端が回動軸１４ｃ部分から離れると共に、保持部１０が光ディスク４に押されるので、保持レバー７は回動軸８を中心に回動し、保持部１３が矢印Ｃの方向へ移動し、光ディスク４は保持部１０，１３により保持される。
この状態で、ユーザが、上カバー３ａ及び下カバー３ｂを押さえると、上カバー３ａ及び下カバー３ｂが接合され、上カバー３ａと下カバー３ｂに設けられた基部１６ｃとのロック機構がロックされる。
【００３３】
尚、この光ディスクカートリッジ１は、光ディスク４の取り出しが容易な専用の光ディスクカートリッジであり、光ディスク４を単に入れておくケースから、本光ディスクカートリッジ１に入れ替える必要がある。その作業は屋内で行い、光ディスクカートリッジ１に入った光ディスク４を持ち運びすることで、光ディスクが汚損することはない。
【図面の簡単な説明】
【００３４】
【図１】本発明に係る光ディスクカートリッジの実施の形態の構成を模式的に示す説明図である。
【図２】本発明に係る光ディスクカートリッジの実施の形態の動作を示す説明図である。
【図３】本発明に係る光ディスクカートリッジの実施の形態の動作を示す説明図である。
【符号の説明】
【００３５】
１  光ディスクカートリッジ
２  カートリッジ本体（収納部）
３ａ  上カバー（収納部）
３ｂ  下カバー（収納部）
４  光ディスク
５  引張バネ（付勢手段）
６ａ，６ｂ  突起（阻止手段）
７  保持レバー（押出す手段）
９  圧縮バネ
１０，１３  保持部
１４  ワイヤ
１４ｂ  鞘管
１５ａ  突起（位置合わせ手段）
１６ａ，１８ａ  短い溝
１６ｂ，１７ｂ，１８ｂ  突起
１６ｃ，１８ｃ  基部
１７ａ  長い溝
１９  光ディスク装置
２０  出し入れ口
【図１】
2010044805.tif 000003
【図２】
2010044805.tif 000004
【図３】
2010044805.tif 000005